(57)【特許請求の範囲】
【請求項１】
天板や座板などの基板に固定されて、一方に脚柱を枢着した支持ブラケットと、
該支持ブラケットの他方に枢着されると共に、一方に係止部を有し他方に操作片を有してロック方向に付勢されたロックレバーと、
前記脚柱に固定されて、上記ロックレバーの係止部が常時接するように設けられたロック用カム片とからなり、
該ロック用カム片には、脚柱の折畳時に前記操作片が折畳まれた脚柱と基板との間に配置される待機姿勢で前記係止部が係合する位置に形成された折畳ロック受部と、脚柱の枢着位置を支点にして折畳ロック受部から脚柱の展開乃至折畳角度だけ離れた位置に設けられ、脚柱の展開時に前記操作片が折畳時の待機姿勢とほぼ同じ姿勢で前記係止部が係合する位置に形成された展開ロック受部を有しており、
前記支持ブラケットの下端側の端部には、脚柱折畳時に変位した折畳ロック受部と整合して係止部を支承する凹状の係止部ストッパが設けられており、
展開時および折畳時にほぼ同じ待機姿勢にあるロックレバーを、基板側に押し付けることにより、それぞれのロック解除を行いうることを特徴とする折畳脚柱のロック構造。
【請求項２】
支持ブラケットの一方の端部に、展開時に脚柱と衝合して脚柱の展開姿勢を定める展開ストッパが形成されており、前記支持ブラケットの最下端に、折畳時に脚柱と衝合して脚柱の折畳姿勢を定める折畳ストッパが形成されてなることを特徴とする請求項１に記載の折畳脚柱のロック構造。
【請求項３】
ロック用カム片が、脚柱に固定されたカム用ブラケットの側板に形成されており、
上記カム片には、脚柱を折畳む際に係止部が脚柱との間に入り込むための通路部と、該通路部内に凹設されて係止部と係合する折畳ロック受部とを有してなることを特徴とする請求項１に記載の折畳脚柱のロック構造。
【発明の詳細な説明】
【０００１】
【発明の属する技術分野】
この発明は、天板や座板などの基板に折畳可能に取り付けられた脚柱を展開位置および折畳位置でそれぞれロックする折畳脚柱のロック構造に関する。
【０００２】
【従来の技術】
従来、折畳可能な脚柱をロックする構造として、実公昭６１−３２５０７号のロック装置が知られている。この構造では、展開時には脚柱をロックすることができるが、折畳時にはロックしないので、折畳んだ脚柱を持ち上げて運ぼうとすると不意に展開方向へ動くなどの問題があった。
そこで、展開時だけでなく折畳時にも脚柱をロックすることが望まれている。脚柱の展開時と折畳時のそれぞれのロック位置は脚柱の回転角度分だけ離れているため、別々のロック部材でロックする構造が考えられるが構造が大型化し、また複雑化する欠点があった。
そこで、同一のロックレバーで脚柱の展開時も折畳時も同じようにロック乃至ロック解除の操作が行えるようにしたロック装置の開発が待たれていた。
【０００３】
【発明が解決しようとする課題】
この発明は、上記欠点を解消するために創案されたものであって、その主たる課題は、脚柱の展開時であっても折畳時であっても、ほぼ同じ待機姿勢にあるロックレバーを基板側に押し付けることにより、それぞれのロック解除を行うことができる信頼性の高い折畳脚柱のロック構造を提供することにある。
この発明の別の課題は、上記課題に加えて、脚柱を枢着する支持ブラケットに、脚柱の展開姿勢および折畳姿勢を規制するストッパを設けて、全体の構成を簡略化しコストダウンを図ることができる折畳脚柱のロック構造を提供することにある。
【０００４】
【課題を解決するための手段】
上記課題を達成するため、請求項１の発明では、
天板や座板などの基板に固定されて、一方に脚柱を枢着した支持ブラケットと、
該支持ブラケットの他方に枢着されると共に、一方に係止部を有し他方に操作片を有してロック方向に付勢されたロックレバーと、
前記脚柱に固定されて、上記ロックレバーの係止部が常時接するように設けられたロック用カム片とからなり、
該ロック用カム片には、脚柱の折畳時に前記操作片が折畳まれた脚柱と基板との間に配置される待機姿勢で前記係止部が係合する位置に形成された折畳ロック受部と、脚柱の枢着位置を支点にして折畳ロック受部から脚柱の展開乃至折畳角度だけ離れた位置に設けられ、脚柱の展開時に前記操作片が折畳時の待機姿勢とほぼ同じ姿勢で前記係止部が係合する位置に形成された展開ロック受部を有しており、
前記支持ブラケットの下端側の端部には、脚柱折畳時に変位した折畳ロック受部と整合して係止部を支承する凹状の係止部ストッパが設けられており、
展開時および折畳時にほぼ同じ待機姿勢にあるロックレバーを、基板側に押し付けることにより、それぞれのロック解除を行いうる、という技術的手段を講じている。
また、請求項２の発明では、
前記支持ブラケットの一方の端部に、展開時に脚柱と衝合して脚柱の展開姿勢を定める展開ストッパが形成されており、前記支持ブラケットの最下端に、折畳時に脚柱と衝合して脚柱の折畳姿勢を定める折畳ストッパが形成されてなる、という技術的手段を講じている。
更に、請求項３の発明では、
前記ロック用カム片が、脚柱に固定されたカム用ブラケットの側板に形成されており、
上記カム片には、脚柱を折畳む際に係止部が脚柱との間に入り込むための通路部と、該通路部内に凹設されて係止部と係合する折畳ロック受部とを有してなる、という技術的手段を講じている。
【０００５】
【発明の実施の形態】
以下に、この発明の折畳脚柱のロック構造をテーブルに適用した場合の好適実施例について図面を参照しながら説明する。
図２に示すテーブルＴは、天板Ａと、該天板Ａに展開乃至折畳自在に枢着された脚柱Ｂと、該脚柱Ｂを展開乃至折畳位置でロックするロック装置１とを有している。
なお、図中、Ｃは脚柱の基端キャップ、Ｄは脚柱の高さ調節ネジ、Ｅはキャスタ、Ｆは脚柱の側端キャップ、Ｇは水平調節ネジである。
【０００６】
図示例の脚柱Ｂは、１本の支脚部Ｂ１とその下端で前後に延びる脚台部Ｂ２とを有している。
この脚柱Ｂは、支脚部Ｂ１の上端に設けられたロック装置１のカム用ブラケット３を介して、天板Ａ裏面に固定された支持ブラケット２に第１ピンＰ１で枢着されて展開乃至折畳位置に回転可能に取り付けられている。
【０００７】
ここでロック装置１は、図１から図６に示す通り、ロックレバー４を第２ピンＰ２で枢着した支持ブラケット２と、該支持ブラケット２に第１ピンＰ１で枢着されるカム用ブラケット３との組合せからなっている。
即ち、支持ブラケット２は、基板部２０を一体に有しており、天板Ａの裏面にタップネジ１２等で一体に固定されている。
【０００８】
上記支持ブラケット２は、側板２ａの脚柱寄りの端部が天板Ａに対して所定角度（脚柱展開角度であって図示例では９０°）に設定された展開ストッパ２１を形成している。
従って、脚柱Ｂの展開角度は上記展開ストッパ２１となる端部の天板Ａに対する角度によって所望の展開角度に設定することができる。
【０００９】
次に、この支持ブラケット２の側板２ａの下端縁部には、後述のロックピンストッパ２２となる凹部と、最も下端位置に設定されて折畳時の脚柱Ｂ（本実施例では支脚部Ｂ１）を支承する折畳ストッパ２３とが形成されている。
また、支持ブラケット２の側板２ａで、前記第１ピンＰ１の枢着位置から離間した位置には、ロックレバー４が第２ピンＰ２で枢着されて傾動自在となっている。
【００１０】
このロックレバー４と支持ブラケット２との間には、それぞれに固設されたフック９を介してコイルスプリング８が掛け渡されてロックレバー４をロック方向（ロックピン７が天板Ａへ接近する方向）に付勢している。
ここで、ロックレバー４は、中途位置に前記第２ピンＰ２を通す孔を設けた左右一対の側板４ａを有しており、先端には係止部となるロックピン７を固設し、後端には屈曲部を経て操作片となるレバーハンドル４１が一体に成形されている。
また、このレバーハンドル４１は、樹脂またはゴムなどでカバーして触感を高めてもよい。
【００１１】
次ぎに、脚柱Ｂに固定されたカム用ブラケット３は、断面チャンネル状からなっており、その左右の側板３ａがロック用カム片３０となり、溝底面は外方へ延出して後述の折畳ストッパ２３と衝合する際の折畳受面３６が形成されている。このロック用カム片３０は、展開ロック受部３２と、折畳ロック受部３５と、前記受部３２、３５間に形成されるトレースカム３４とを有しており、前記ロックレバー４のロックピン７が前記付勢力によって常時接するように形成されている。
【００１２】
ロック用カム片３０には、脚柱Ｂの折畳時に前記レバーハンドル４１が、折畳まれた支脚部Ｂ１と天板Ａとの間で、これにほぼ平行な待機姿勢として配置されるように、前記ロックピン７が係合する位置に折畳ロック受部３５が形成される（図３、図４参照）。
図示例の場合、脚柱Ｂを折畳む際に、ロックピン７が支脚部Ｂ１との間に入り込むように支脚部Ｂ１に沿ってロック用カム片３０の基端側が切り込まれて通路部３３を形成しており、該通路部３３内でこれと直交する位置に前記折畳ロック受部３５が凹設されている。
【００１３】
そして、図３、図４の脚柱折畳位置における折畳ロック受部３５は、前記ロックピンストッパ２２と整合するようになっている。
また、前記折畳ロック受部３５に連なる通路部３３の開口側は突出してロック爪部３１となって、脚柱Ｂの展開方向の力が加わってもロックピン７を拘束している。
【００１４】
次ぎに、ロック用カム片３０で、脚柱Ｂの枢着位置（Ｐ１）を支点にして折畳ロック受部３５から脚柱Ｂの展開乃至折畳角度だけ離れた位置に展開ロック受部３２が形成されている。
そして、図５および図６に示す脚柱Ｂの展開時に、前記ロックピン７が展開ロック受部３２に係合し、その位置で前記レバーハンドル４１が折畳時の待機姿勢とほぼ同じ姿勢となる。
【００１５】
上記構成からなっているので、脚柱Ｂの展開時には、図７（ａ）に示すように支持ブラケット２の展開ストッパ２１に支脚部Ｂ１が衝合して係止面Ｒ１となっており、それ以上の回転を規制しており、ロックレバー４のロックピン７が展開ロック受部３２に係合し展開係止点Ｒ２となって、脚柱Ｂの展開姿勢をロックしている。
この際にレバーハンドル４１は、図５、図６に示すように天板Ａ裏面と略平行に離間する待機姿勢となっている。
【００１６】
そこで、このレバーハンドル４１を天板側（図中ａ方向）へ押しつけてロックレバー４を第２ピンＰ２を支点に回転すると、前記ロックピン７が展開ロック受部３２から脱して外れるので、脚柱Ｂを第１ピンＰ１を支点にして折畳方向（ｂ方向）に回転し、脚柱Ｂが前記折畳ストッパ２３と衝合する係止面Ｒ５まで変位させる（図６、図７（ｂ）参照）。
【００１７】
この脚柱Ｂを折畳方向に回転させる際には、レバーハンドル４１から手を離すと、ロックピン７は付勢力によってロック用カム片３０の縁部に形成されたトレースカム３４に倣って傾動し、図４に示す折畳位置では前記通路部３３から展開ロック爪部３１を乗り越えて折畳ロック受部３５に自動的に没入して係合し、折畳係止点Ｒ３と、ロックレバー下死点Ｒ４で規制され、脚柱Ｂの展開方向（ｃ方向）への逆転を拘束する（図７（ｂ）参照）。
【００１８】
本実施例では、第１ピンＰ１は第２ピンＰ２より僅かに下方に設定され、またロックピン７と各受部３２、３５との係止点Ｒ２、Ｒ３は、上記Ｐ１とＰ２の間で、Ｐ１とＰ２を結ぶ線分よりも下方位置（図７では上方）となり、脚柱Ｂの逆転を規制している。
【００１９】
そして前述のように、脚柱Ｂの折畳時にレバーハンドル４１は、脚柱Ｂと天板Ａとの間に略平行に配置されて、脚柱Ｂの展開位置での待機姿勢とほぼ同様の位置に戻る（図３、図４参照）。
この折畳位置から、再び脚柱Ｂを展開するには、レバーハンドル４１を同様に天板Ａに向けてａ方向に押しつけ、第２ピンＰ２を支点にしてロックレバー４を傾動しながら、脚柱Ｂを第１ピンＰ１を支点にして展開方向に傾動し、ロックピン７を折畳ロック受部３５から外してロック爪部３１を乗り越えさせ通路部３３から抜け出させる。
【００２０】
そして、脚柱Ｂを更に展開方向（ｃ方向）に回転させて、図６に示した展開ストッパ２１に衝合する位置まで変位させる。
この際に、押付け力がかからなくなったロックピン７は、弾性力でロック用カム片３０のトレースカム３４に接しこれに倣って傾動し、脚柱Ａが前記展開ストッパ２１に衝合した位置で展開ロック受部３２に自動的に没入して係合する。
そして、前述のように、この際のレバーハンドル４１の待機姿勢は、前記折畳時の待機姿勢とほぼ同一位置となる。
【００２１】
本実施例では、支持ブラケット３の側板３ａの縁部からなる展開ストッパ２１が天板Ａとのなす角度が脚柱Ｂの展開時の保持角度となる。したがって展開時の脚柱Ｂの角度は、垂直に限らず、下拡がりのテーパー脚のように所望の角度に設定することができる。
同様に折畳ストッパ２３は天板からの離間距離（高さ）により折畳時の脚柱Ｂと天板Ａとのなす角度が決まる。従って、折畳時の脚柱Ｂは、図示例のように天板Ａと平行に限らず、折畳ストッパ２３の高さを変えることで脚柱Ｂを所望角度の折畳位置に設定することができる。
【００２２】
本実施例では、前述のようにロックレバー４を枢着した支持ブラケット２と、カム用ブラケット３から構成されているので、脚柱Ｂの形式や形状を問わず自由に取り付けることができる。
即ち、前記実施例では平面Ｔ形状の脚柱Ｂの場合を例示したが、その他任意の形状であってもよい。
【００２３】
例えば、図８および図９に示すように、一対の支脚Ｂ１’と該支脚Ｂ１’の上端間を連結する横架片Ｂ３とからなる平面Ｕ字状または倒立コ字状の脚柱Ｂの場合、支持ブラケット２と、カム用ブラケット３は、横幅を広くして、高さを横架片Ｂ３の高さの範囲内となるよう設定される。
また、折畳ストッパ２３は、展開ストッパ２１とロックピンストッパ２２の間に配置されて、折畳時の前記横架片Ｂ３の折畳受面３６と衝合しうるようになっている。
【００２４】
また、スプリング８は、第２ピンＰ２に外嵌し、一端をロックレバー４に係止し他端を支持ブラケット２の溝底面に係止して、ロックレバー４をロック方向に付勢している。
その他の構成は前記実施例に準じるので同一構成には同一符号を付してその説明を省略する。
【００２５】
また、天板Ａや脚柱Ｂの素材は、例えば金属製や木製、あるいは樹脂製等であってもよく、要するに前記支持ブラケット２やカム用ブラケット３を固定しうるものであればよく、また形状はパイプに限らず、無垢材、丸材、角材などを用いることができる。
このロック装置１が取り付けられるものとしては、脚柱を折畳乃至展開するものであれば、テーブルに限定されず、机や椅子その他の家具や、構造物に用いることができる。
【００２６】
また、前記支持ブラケットやカム用ブラケットの寸法は任意であり、特に回転軸の長さ方向に関しては長大なものであってもよい。また図７に例示したように脚柱に横架片（横桟）を有する場合には、横架片に沿ってロック装置１を複数個取り付けてもよい。
カム用ブラケット３に刻設された展開ロック受部３２、折畳ロック受部３５、およびその中間のカム面は図示例に限定されず、またカム面は複数箇所に分離して設けてもよい。
更に、カム用ブラケット３はロック用カム片３０を一対に設けた場合を例示したが、１箇所だけであってもよい。
その他要するにこの発明の要旨を変更しない範囲で種々設計変更しうること勿論である。
【００２７】
【発明の効果】
以上のように、この発明のロック構造では、ロックレバーを枢着した支持ブラケットを基板に固定し、カム用ブラケットを脚柱に固定し、両者を枢着することにより、脚柱を基板に枢着することができる。
また、この発明は、脚柱の展開時であっても折畳時であっても、ほぼ同じ待機姿勢にあるロックレバーを基板側に押し付けることにより、それぞれのロック解除を行うことができる信頼性の高い折畳脚柱のロック構造を提供することができる。
更に、脚柱を枢着する支持ブラケットに、脚柱の展開姿勢および折畳姿勢を規制するストッパを設けて、全体の構成を簡略化しコストダウンを図ることができる。
【図面の簡単な説明】
【図１】この発明の実施例を示すロック装置の取付状態を示す分解斜視図である。
【図２】テーブルに用いた場合の斜視図である。
【図３】脚柱の折畳時のロック装置を示した斜視図である。
【図４】同側面図である。
【図５】脚柱の展開時のロック装置を示す斜視図である。
【図６】同側面図である。
【図７】ロック状態を説明する部分側面図であって（ａ）は脚柱展開時、（ｂ）は脚柱折畳時である。
【図８】異なる実施例のロック装置の取付状態を示す分解斜視図である。
【図９】脚柱の折畳時のロック装置を示す側面図である。
【符号の説明】
１  ロック装置
２  支持ブラケット
３  カム用ブラケット
４  ロックレバー
７  ロックピン
８  コイルスプリング
９  スプリング用フック
１２  取付タップネジ
２１  展開ストッパ
２２  ロックピンストッパ
２３  折畳ストッパ
３０  ロック用カム片
３１  ロック爪部
３２  展開ロック受部
３３  通路部
３４  トレースカム
３５  折畳ロック受部
３６  折畳受面
Ａ    天板
Ｂ    脚柱
Ｂ１  支脚部
Ｂ２  脚台部
Ｂ３  横架片
Ｃ  脚端キャップ
Ｄ  脚高さ調節ネジ
Ｐ１  第１ピン
Ｐ２  第２ピン
【図１】
0003648207.tif 000002
【図２】
0003648207.tif 000003
【図３】
0003648207.tif 000004
【図４】
0003648207.tif 000005
【図５】
0003648207.tif 000006
【図６】
0003648207.tif 000007
【図７】
0003648207.tif 000008
【図８】
0003648207.tif 000009
【図９】
0003648207.tif 000010